(57)【要約】【課題】所定の場所を訪れた通信端末にコンテンツ情報を配信する。【解決手段】通信端末は、通信端末の所在エリアを示すエリア情報を取得するエリア情報取得部と、エリア情報取得部が取得するエリア情報に基づいて、所定のエリアに自装置が位置するか否かを判定するエリア判定部と、エリア判定部が所定のエリアに自装置が位置すると判定する場合に、所定のエリアに自装置が位置することを示すエリア滞在情報を記憶する記憶部と、記憶部にエリア滞在情報が記憶される場合に、所定の情報を取得する情報取得部と、所定のエリアに位置しないとエリア判定部が判定する場合に、情報取得部が取得する所定の情報の提示を許可する提示許可部と、提示許可部が許可した結果に基づいて、所定の情報を提示する提示部とを備える。【選択図】図１
2020091891.tif 000002
【特許請求の範囲】
【請求項１】
通信端末の所在エリアを示すエリア情報を取得するエリア情報取得部と、
前記エリア情報取得部が取得する前記エリア情報に基づいて、所定のエリアに自装置が位置するか否かを判定するエリア判定部と、
前記エリア判定部が前記所定のエリアに自装置が位置すると判定する場合に、前記所定のエリアに自装置が位置することを示すエリア滞在情報を記憶する記憶部と、
前記記憶部に前記エリア滞在情報が記憶される場合に、所定の情報を取得する情報取得部と、
所定の提示不可エリアに位置しないと前記エリア判定部が判定する場合に前記情報取得部が取得する前記所定の情報の提示を許可する処理と、所定の提示可能エリアに位置すると前記エリア判定部が判定する場合に前記情報取得部が取得する前記所定の情報の提示を許可する処理とのうち少なくとも一方の処理を実行する提示許可部と、
前記提示許可部が許可した結果に基づいて、前記所定の情報を提示する提示部と
を備える通信端末。
【請求項２】
前記記憶部には、前記所定のエリアに自装置が位置した時刻を示す位置時刻情報と、前記エリア滞在情報とが対応付けられた状態で記憶され、
前記情報取得部は、
前記位置時刻情報が所定の条件を満たす場合に、前記所定の情報を取得する
請求項１に記載の通信端末。
【請求項３】
前記所定の条件とは、前記位置時刻情報が現在の時刻の所定時間以内である
請求項２に記載の通信端末。
【請求項４】
前記提示許可部は、現在の時刻に応じて複数の互いに異なる前記所定の情報の提示を許可する
請求項１から請求項３のいずれか一項に記載の通信端末。
【請求項５】
前記提示許可部は、
時刻の経過に伴いより多くの前記所定の情報の提示を許可する
請求項１から請求項３のいずれか一項に記載の通信端末。
【請求項６】
前記所定の情報は、前記所定のエリアで開催されるイベントに関する情報であって、
前記提示許可部は、さらに前記イベントの時間割に基づいて前記所定の情報の提示を許可する
請求項４又は請求項５に記載の通信端末。
【請求項７】
前記エリア情報には、自装置と無線通信可能な基地局を識別する基地局識別情報が含まれ、
前記エリア判定部は、前記基地局識別情報に基づいて、前記所定のエリアに自装置が位置するか否かを判定する
請求項１から請求項６のいずれか一項に記載の通信端末。
【請求項８】
通信端末の所在エリアを示すエリア情報を前記通信端末から取得するエリア情報取得部と、
前記エリア情報取得部が取得する前記エリア情報に基づいて、前記通信端末が所定のエリアに位置するか否かを判定するエリア判定部と、
前記エリア判定部が前記所定のエリアに前記通信端末が位置すると判定する場合に、前記所定のエリアに前記通信端末が位置することを示すエリア滞在情報を記憶する記憶部と、
前記記憶部に前記エリア滞在情報が記憶される場合に、前記通信端末に所定の情報を配信する情報配信部と、
所定の提示不可エリアに前記通信端末が位置しないと前記エリア判定部が判定する場合に前記通信端末に対して前記情報配信部が配信した前記所定の情報の提示を許可する処理と、所定の提示可能エリアに前記通信端末が位置すると前記エリア判定部が判定する場合に前記通信端末に対して前記情報配信部が配信した前記所定の情報の提示を許可する処理とのうち少なくとも一方の処理を実行する提示許可部と、
を備える情報配信装置。
【請求項９】
前記記憶部には、前記所定のエリアに前記通信端末が位置した時刻を示す位置時刻情報と、前記エリア滞在情報が対応付けられた状態で記憶され、
前記情報配信部は、
前記位置時刻情報が所定の条件を満たす場合に、前記所定の情報を前記通信端末に配信する
請求項８に記載の情報配信装置。
【請求項１０】
前記所定の条件とは、前記位置時刻情報が現在の時刻の所定時間以内である
請求項９に記載の情報配信装置。
【請求項１１】
前記提示許可部は、現在の時刻に応じて複数の互いに異なる前記所定の情報の提示を許可する
請求項８から請求項１０のいずれか一項に記載の情報配信装置。
【請求項１２】
前記提示許可部は、時刻の経過に伴いより多くの前記所定の情報の提示を許可する
請求項８から請求項１０のいずれか一項に記載の情報配信装置。
【請求項１３】
前記所定の情報は、前記所定のエリアで開催されるイベントに関する情報であって、
前記提示許可部は、さらに前記イベントの時間割に基づいて前記所定の情報の提示を許可する
請求項１１又は請求項１２に記載の情報配信装置。
【請求項１４】
前記エリア情報には、前記通信端末と無線通信可能な基地局を識別する基地局識別情報が含まれ、
前記エリア判定部は、前記基地局識別情報に基づいて、前記所定のエリアに前記通信端末が位置するか否かを判定する
請求項８から請求項１３のいずれか一項に記載の情報配信装置。
【発明の詳細な説明】
【技術分野】
【０００１】
本発明は、通信端末及び情報配信装置に関する。
【背景技術】
【０００２】
従来、印刷物を用いたコンテンツ情報の配信サービス技術が知られている（例えば、特許文献１）。
【先行技術文献】
【特許文献】
【０００３】
【特許文献１】特表２０１６−５３４４４４号公報
【発明の概要】
【発明が解決しようとする課題】
【０００４】
従来の技術では、印刷物に印刷されたコードを通信端末によってデコードすることによりコンテンツ情報を取得する。一方、イベント会場などの所定の場所に来場した人に限定してコンテンツ情報を配信したいという要望がある。印刷物を用いてコンテンツ情報を配信する場合には、所定の場所に来場した人がこの印刷物を取得し、取得した印刷物を他者に渡すことがある。この印刷物を渡された所定の場所に訪れていない他者は、印刷物からコンテンツ情報を取得できてしまうという問題があった。
本発明は、上記問題に鑑みて為されたものであり、所定の場所を訪れた通信端末にコンテンツ情報を配信する通信端末及び情報配信装置を提供することを目的とする。
【課題を解決するための手段】
【０００５】
（１）本発明の一態様は、通信端末の所在エリアを示すエリア情報を取得するエリア情報取得部と、前記エリア情報取得部が取得する前記エリア情報に基づいて、所定のエリアに自装置が位置するか否かを判定するエリア判定部と、前記エリア判定部が前記所定のエリアに自装置が位置すると判定する場合に、前記所定のエリアに自装置が位置することを示すエリア滞在情報を記憶する記憶部と、前記記憶部に前記エリア滞在情報が記憶される場合に、所定の情報を取得する情報取得部と、所定の提示不可エリアに位置しないと前記エリア判定部が判定する場合に前記情報取得部が取得する前記所定の情報の提示を許可する処理と、所定の提示可能エリアに位置すると前記エリア判定部が判定する場合に前記情報取得部が取得する前記所定の情報の提示を許可する処理とのうち少なくとも一方の処理を実行する提示許可部と、前記提示許可部が許可した結果に基づいて、前記所定の情報を提示する提示部とを備える通信端末である。
【０００６】
（２）本発明の一態様は、上記（１）の通信端末において、前記記憶部には、前記所定のエリアに自装置が位置した時刻を示す位置時刻情報と、前記エリア滞在情報とが対応付けられた状態で記憶され、前記情報取得部は、前記位置時刻情報が所定の条件を満たす場合に、前記所定の情報を取得する、通信端末である。
【０００７】
（３）本発明の一態様は、上記（２）に記載の通信端末において、前記所定の条件とは、前記位置時刻情報が現在の時刻の所定時間以内である、通信端末である。
【０００８】
（４）本発明の一態様は、上記（１）から（３）のいずれか一に記載の通信端末において、前記提示許可部は、現在の時刻に応じて複数の互いに異なる前記所定の情報の提示を許可する、通信端末である。
【０００９】
（５）本発明の一態様は、上記（１）から（３）のいずれか一に記載の通信端末において、前記提示許可部は、時刻の経過に伴いより多くの前記所定の情報の提示を許可する、通信端末である。
【００１０】
（６）本発明の一態様は、上記（４）又は（５）に記載の通信端末において、所定の情報は、前記所定のエリアで開催されるイベントに関する情報であって、前記提示許可部は、さらに前記イベントの時間割に基づいて前記所定の情報の提示を許可する、通信端末である。
【００１１】
（７）本発明の一態様は、上記（１）から（６）のいずれか一に記載の通信端末において、前記エリア情報には、自装置と無線通信可能な基地局を識別する基地局識別情報が含まれ、前記エリア判定部は、前記基地局識別情報に基づいて、前記所定のエリアに自装置が位置するか否かを判定する、通信端末である。
【００１２】
（８）本発明の一態様は、通信端末の所在エリアを示すエリア情報を前記通信端末から取得するエリア情報取得部と、前記エリア情報取得部が取得する前記エリア情報に基づいて、前記通信端末が所定のエリアに位置するか否かを判定するエリア判定部と、前記エリア判定部が前記所定のエリアに前記通信端末が位置すると判定する場合に、前記所定のエリアに前記通信端末が位置することを示すエリア滞在情報を記憶する記憶部と、前記記憶部に前記エリア滞在情報が記憶される場合に、前記通信端末に所定の情報を配信する情報配信部と、所定の提示不可エリアに前記通信端末が位置しないと前記エリア判定部が判定する場合に前記通信端末に対して前記情報配信部が配信した前記所定の情報の提示を許可する処理と、所定の提示可能エリアに前記通信端末が位置すると前記エリア判定部が判定する場合に前記通信端末に対して前記情報配信部が配信した前記所定の情報の提示を許可する処理とのうち少なくとも一方の処理を実行する提示許可部とを備える情報配信装置である。
【００１３】
（９）本発明の一態様は、上記（８）に記載の情報配信装置において、前記記憶部には、前記所定のエリアに前記通信端末が位置した時刻を示す位置時刻情報と、前記エリア滞在情報が対応付けられた状態で記憶され、前記情報配信部は、前記位置時刻情報が所定の条件を満たす場合に、前記所定の情報を前記通信端末に配信する、情報配信装置である。
【００１４】
（１０）本発明の一態様は、上記（９）に記載の情報配信装置において、前記所定の条件とは、前記位置時刻情報が現在の時刻の所定時間以内である、情報配信装置である。
【００１５】
（１１）本発明の一態様は、上記（８）から（１０）のいずれか一に記載の情報配信装置において、前記提示許可部は、現在の時刻に応じて複数の互いに異なる前記所定の情報の提示を許可する、情報配信装置である。
【００１６】
（１２）本発明の一態様は、上記（８）から（１０）のいずれか一に記載の情報配信装置において、提示許可部は、時刻の経過に伴いより多くの前記所定の情報の提示を許可する、情報配信装置である。
【００１７】
（１３）本発明の一態様は、上記（１１）又は（１２）に記載の情報配信装置において、前記所定の情報は、前記所定のエリアで開催されるイベントに関する情報であって、前記提示許可部は、さらに前記イベントの時間割に基づいて前記所定の情報の提示を許可する、情報配信装置である。
【００１８】
（１４）本発明の一態様は、上記（８）から（１３）のいずれか一に記載の情報配信装置において、前記エリア情報には、前記通信端末と無線通信可能な基地局を識別する基地局識別情報が含まれ、前記エリア判定部は、前記基地局識別情報に基づいて、前記所定のエリアに前記通信端末が位置するか否かを判定する、情報配信装置である。
【発明の効果】
【００１９】
本発明によれば、所定の場所を訪れた通信端末にコンテンツ情報を配信する通信端末及び情報配信装置を提供することができる。
【図面の簡単な説明】
【００２０】
【図１】第１の実施形態に係る通信システムの概要の一例を示す図である。
【図２】通信端末と、情報配信装置との機能構成の一例を示す図である。
【図３】エリア滞在情報の一例を示す図である。
【図４】コンテンツ情報の一例を示す図である。
【図５】通信端末のエリア滞在情報を記憶させる動作の一例を示す図である。
【図６】通信端末が情報配信装置からコンテンツ情報を取得する動作の一例を示す図である。
【図７】通信端末が情報配信装置からコンテンツ情報を取得し、取得したコンテンツ情報を提示する動作の一例を示す図である。
【図８】通信端末と、情報配信装置との機能構成の一例を示す図である。
【図９】通信端末のエリア滞在情報を記憶させる動作の一例を示す図である。
【図１０】通信端末が情報配信装置からコンテンツ情報を取得し、取得したコンテンツ情報を提示する動作の一例を示す図である。
【図１１】イベントの時間割を示す時間割情報の一例を示す図である。
【発明を実施するための形態】
【００２１】
＜第１の実施形態＞
以下、図面を参照して通信システムの第１の実施形態について説明する。
図１は、第１の実施形態に係る通信システム１００の概要の一例を示す図である。
【００２２】
通信システム１００は、情報配信装置３と、アクセスポイント４と、通信端末２とを備える。アクセスポイント４は、基地局の一例である。
情報配信装置３と、アクセスポイント４と、通信端末２とは、それぞれネットワークＮＷに接続される。
情報配信装置３は、所定のエリアに滞在した通信端末２に対してコンテンツ情報を配信する。この所定のエリアは、予めコンテンツ情報と対応付けられた状態で、情報配信装置３に記憶される。コンテンツ情報は、所定の情報の一例である。コンテンツ情報は、通信端末２が提示する情報である。以下の説明では、通信端末２がコンテンツ情報を提示することを、コンテンツ情報を再生するとも記載する。コンテンツ情報には、具体的には、テキストデータや、画像データ、動画データ、音声データなどのデータが含まれる。コンテンツ情報の詳細は後述する。
【００２３】
アクセスポイント４は、この一例では、スタジアムなどの施設内をサービスエリアＷＡとするアクセスポイントである。サービスエリアは、このサービスエリアの範囲内に位置する通信端末２と、アクセスポイント４とが無線通信が可能なエリアのことである。
アクセスポイント４は、サービスエリアＷＡに位置する通信端末２と無線通信する。アクセスポイント４は、この一例では、無線ＬＡＮ（Ｗｉｒｅｌｅｓｓ  Ｌｏｃａｌ  Ａｒｅａ  Ｎｅｔｗｏｒｋ）のアクセスポイントである。
【００２４】
通信端末２は、情報配信装置３と、ネットワークＮＷを介して無線通信する。通信端末２は、例えば携帯電話、スマートフォン及びタブレット型のコンピュータ（タブレットＰＣ）等の携帯型のパーソナルコンピュータ等である。ネットワークＮＷは、無線通信網、当該無線通信網と接続される有線通信網及びインターネット等の通信網である。無線通信網は、例えば、ＬＴＥ（Ｌｏｎｇ  Ｔｅｒｍ  Ｅｖｏｌｕｔｉｏｎ）方式等の通信方式の通信を行う携帯電話ネットワークである。無線通信は、ＬＴＥ方式にしたがって構築された通信網に限られず、ＬＴＥ方式にしたがって構築された通信網以外の３Ｇ方式等の通信網であってもよい。有線通信網は、有線接続により接続された機器が構成する通信網である。
通信端末２は、表示部２１を備える。表示部２１は、この一例では、液晶ディスプレイなどの表示装置である。
通信端末２は、情報配信装置３からコンテンツ情報を取得する。通信端末２は、情報配信装置３から取得したコンテンツ情報を、表示部２１に表示させる。
【００２５】
本実施形態では、スタジアムに滞在した通信端末２は、情報配信装置３からコンテンツ情報を取得する。通信端末２は、このコンテンツ情報を、スタジアムとは異なる位置において再生する。
具体的には、情報配信装置３は、位置ＰＬ１に滞在した通信端末２に対して、コンテンツ情報を送信する。位置ＰＬ１は、上述したサービスエリアＷＡの範囲内の位置である。位置ＰＬ１は、所定のエリアの一例である。通信端末２は、情報配信装置３から取得したコンテンツ情報を、位置ＰＬ１とは異なる位置において再生する。通信端末２は、この一例では、位置ＰＬ２においてコンテンツ情報を再生する。位置ＰＬ２は、サービスエリアＷＡとは異なる位置である。位置ＰＬ２は、この一例では、サービスエリアＷＡとは異なる位置にある飲食店である。
【００２６】
＜通信システム１００の構成について＞
次に、図２を参照して、通信端末２と、情報配信装置３との構成の一例について説明する。
図２は、通信端末２と、情報配信装置３との機能構成の一例を示す図である。
【００２７】
通信端末２は、表示部２１と、検出部２３と、制御部２０と、記憶部２２とを備える。表示部２１は、上述した説明と同様である。検出部２３は、例えば、タッチパネルを備えており、通信端末２のユーザーによって操作される。検出部２３は、このユーザーの操作を検出する。
制御部２０は、例えば、ＣＰＵを備えており、種々の演算や情報の授受を行う。制御部２０は、通信部２０６と、エリア情報取得部２０１と、エリア判定部２０２と、情報取得部２０３と、提示許可部２０４と、提示部２０５とを、その機能部として備える。
【００２８】
エリア情報取得部２０１は、通信端末２の所在エリアを示すエリア情報を取得する。エリア情報取得部２０１は、この一例では、エリア情報をアクセスポイント４から取得する。このエリア情報には、通信端末２と無線通信可能な基地局４を識別する基地局識別情報が含まれる。基地局識別情報とは、アクセスポイント４と通信端末２とが無線通信によって接続されたときに、接続されたアクセスポイント４を識別する情報である。基地局識別情報は、一例として、アクセスポイント４のＳＳＩＤ（Ｓｅｒｖｉｃｅ  Ｓｅｔ  Ｉｄｅｎｔｉｆｉｅｒ）やアクセスポイント４との接続の履歴や、アクセスポイント４のＩＰアドレス（Ｉｎｔｅｒｎｅｔ  Ｐｒｏｔｏｃｏｌ  Ａｄｄｒｅｓｓ）、アクセスポイント４のＭＡＣ（Ｍｅｄｉａ  Ａｃｃｅｓｓ  Ｃｏｎｔｒｏｌ  ａｄｄｒｅｓｓ）アドレス、アクセスポイント４との接続の確認に用いられるウェブサイトから供給されるＨＴＴＰ  ｃｏｏｋｉｅなどである。
エリア情報取得部２０１は、アクセスポイント４から取得したエリア情報を、エリア判定部２０２に対して供給する。
【００２９】
エリア判定部２０２は、エリア情報取得部２０１が取得するエリア情報に基づいて、所定のエリアに自装置が位置するか否かを判定する。具体的には、エリア判定部２０２は、エリア情報取得部２０１からエリア情報を取得する。エリア判定部２０２は、位置ＰＬ１に自装置が位置するか否かを判定する。記憶部２２には、予め複数のエリア情報が記憶されている。具体的には、通信端末２が、所定のエリアのアクセスポイント４の基地局識別情報を取得すると、通信端末２が備えるアプリケーションは、アクセスポイント４から取得した基地局識別情報に対応する複数のエリア情報をダウンロードする。通信端末２が備えるアプリケーションは、この複数のエリア情報を、記憶部２２に記憶させる。
【００３０】
エリア判定部２０２は、記憶部２２に予め記憶される複数のエリア情報の中から、エリア情報取得部２０１から取得したエリア情報と一致するものがある場合には、自装置が所定のエリアに位置すると判定する。
【００３１】
エリア判定部２０２は、位置ＰＬ１に自装置が位置すると判定する場合に、エリア滞在情報ＡＳＩを記憶部２２に記憶させる。このエリア滞在情報ＡＳＩは、位置ＰＬ１に自装置が位置したことを示す情報である。エリア判定部２０２は、提示許可部２０４の要求に応じて、現在、位置ＰＬ１に自装置が位置するか否かを判定した結果を示すエリア判定結果情報を、提示許可部２０４に対して供給する。
【００３２】
情報取得部２０３は、記憶部２２にエリア滞在情報ＡＳＩが記憶される場合に、コンテンツ情報ＣＩを、情報配信装置３から取得する。
具体的には、情報取得部２０３は、記憶部２２からエリア滞在情報ＡＳＩを取得する。情報取得部２０３は、コンテンツ情報ＣＩの要求と共に、記憶部２２から取得したエリア滞在情報ＡＳＩを、情報配信装置３が備える情報配信部３２に対して送信する。情報配信部３２は、エリア滞在情報ＡＳＩが示す位置と対応付けられたコンテンツ情報ＣＩを、記憶部３１から取得する。情報取得部２０３は、記憶部３１から取得したコンテンツ情報ＣＩを、提示不可エリア情報と対応付けた状態で、記憶部２２に記憶させる。提示不可エリア情報とは、このコンテンツ情報ＣＩの提示を許可しないエリアを示す情報である。
【００３３】
提示許可部２０４は、自装置が所定のエリアに位置しないとエリア判定部２０２が判定する場合に、情報取得部２０３が取得するコンテンツ情報ＣＩの提示を許可する。具体的には、提示許可部２０４は、提示を許可するか否かを判定するコンテンツ情報ＣＩを特定する。本実施形態では、提示許可部２０４は、検出部２３が検出するコンテンツ情報ＣＩを指定するユーザーの操作に基づいて、ユーザーが提示したいコンテンツ情報ＣＩを特定する。なお、このコンテンツ情報ＣＩの特定方法は、これに限られない。
【００３４】
提示許可部２０４は、記憶部２２から、ユーザーによって指定されたコンテンツ情報ＣＩと対応付けられた状態で記憶される提示不可エリア情報を取得する。提示許可部２０４は、エリア判定部２０２に対して、提示不可エリア情報を供給し、エリア判定を要求する。提示許可部２０４は、エリア判定部２０２からエリア判定結果情報を取得する。提示許可部２０４は、エリア判定部２０２から取得したエリア判定結果情報に基づいて、ユーザーによって指定されたコンテンツ情報ＣＩの提示を許可するか否かを判定した結果を示す提示可否情報を生成する。提示許可部２０４は、生成した提示可否情報を提示部２０５に対して供給する。
【００３５】
なお、提示許可部２０４は、上述したエリア判定結果情報に加えて、時刻の情報に基づいて、ユーザーによって指定されたコンテンツ情報ＣＩの提示を許可するか否かを判定してもよい。
【００３６】
提示部２０５は、提示許可部２０４が許可した結果に基づいて、コンテンツ情報ＣＩを提示する。具体的には、提示部２０５は、提示許可部２０４から提示可否情報を取得する。提示部２０５は、提示許可部２０４から取得した提示可否情報が、提示を許可することを示す場合には、表示部２１に、コンテンツ情報ＣＩを表示させる。
【００３７】
＜第１の実施形態の情報配信装置の機能構成について＞
情報配信装置３は、制御部３０と、記憶部３１とを備える。制御部３０は、例えば、ＣＰＵを備えており、種々の演算や情報の授受を行う。制御部３０は、情報配信部３２を、その機能部として備える。
記憶部３１には、コンテンツ情報ＣＩと配信可能エリア情報とが対応付けられた状態で記憶される。配信可能エリア情報は、上述した位置を示す情報が含まれる。
情報配信部３２は、通信端末２からの配信の要求に応じて、コンテンツ情報ＣＩを配信する。具体的には、情報配信部３２は、情報取得部２０３から、エリア滞在情報ＡＳＩを取得する。情報配信部３２は、情報取得部２０３から取得したエリア滞在情報ＡＳＩが示す位置と対応するコンテンツ情報ＣＩを、記憶部３１から取得する。情報配信部３２は、記憶部３１から取得した、エリア滞在情報ＡＳＩが示す位置と対応するコンテンツ情報ＣＩを、情報取得部２０３に対して供給する。
【００３８】
＜第１の実施形態のエリア滞在情報について＞
ここで、図３を参照して記憶部２２に記憶されるエリア滞在情報ＡＳＩの一例について説明する。
図３は、エリア滞在情報ＡＳＩの一例を示す図である。
この一例では、記憶部２２には、エリア滞在情報ＡＳＩと、位置時刻情報ＰＴＩとが対応付けられた状態で記憶される。位置時刻情報ＰＴＩは、所定のエリアに通信端末２が位置した時刻を示す情報である。具体的には、位置時刻情報ＰＴＩは、エリア滞在情報ＡＳＩが示す位置に通信端末２が位置した時刻を示す情報である。
記憶部２２には、エリア滞在情報ＡＳＩ１として“位置ＰＬ１”と、位置時刻情報ＰＴＩ１として“１７：００〜２０：００”とが対応付けられた状態で記憶される。記憶部２２には、エリア滞在情報ＡＳＩ２として“位置ＰＬ２”と、位置時刻情報ＰＴＩ２として“２１：３０〜現在時刻”とが対応付けられた状態で記憶される。ここで、現在時刻とは、通信端末２がエリア滞在情報ＡＳＩ２に滞在中であることを示す情報である。なお、位置時刻情報ＰＴＩには、所定のエリアに自装置が位置した時刻と、所定のエリアの範囲外に自装置が位置した時刻とが記憶されてもよい。つまり、位置時刻情報ＰＴＩは、所定のエリアの範囲内に滞在中に、常に更新される必要はない。
【００３９】
＜コンテンツ情報について＞
次に、図４を参照してコンテンツ情報ＣＩの一例について詳細に説明する。
図４は、コンテンツ情報ＣＩの一例を示す図である。
【００４０】
この一例では、コンテンツ情報ＣＩは、提示情報と、提示不可エリア情報と、提示許可時刻情報とが対応付けられた情報である。
提示情報は、提示部２０５が再生する情報である。
提示不可エリア情報は、この提示不可エリア情報と対応付けられた提示情報の再生ができない位置を示す情報である。ここで、提示情報に“提示情報１”と、提示不可エリア情報に“位置ＰＬ１”とが対応付けられている場合について説明する。この場合には、通信端末２は“位置ＰＬ１”とは異なる位置に自装置が位置する場合に“提示情報１”の再生ができる。言い換えると、通信端末２は“位置ＰＬ１”に位置する場合には“提示情報１”の再生ができない。
【００４１】
なお、この実施形態では、この提示不可エリア情報は、記憶部２２に記憶されるコンテンツ情報ＣＩが有する場合について説明するが、これに限られない。提示許可部２０４は、通信端末２が備えるアプリケーションに記憶されるエリア情報に基づいて、提示情報の可否を判定してもよい。つまり、提示不可エリア情報は、通信端末２のアプリケーションに規定されていてもよい。
【００４２】
提示許可時刻情報は、この提示許可時刻情報と対応付けられた提示情報の再生が許可される時刻を示す情報である。ここで、提示情報に“提示情報２”と、提示不可エリア情報に“位置ＰＬ１”と、提示許可時刻情報に“１８：００〜”とが対応付けられている場合について説明する。この場合には、通信端末２は時刻が“１８：００”以降かつ、“位置ＰＬ１”とは異なる位置に自装置が位置する場合に“提示情報２”を再生することができる。
次に、提示情報に“提示情報３”と、提示不可エリア情報に“位置ＰＬ１”と、提示許可時刻情報に“１９：００〜２３：００”とが対応付けられている場合について説明する。この場合には、通信端末２は時刻が“１９：００〜２３：００”かつ、“位置ＰＬ１”とは異なる位置に自装置が位置する場合に“提示情報３”を再生することができる。
【００４３】
＜通信端末２及び情報配信装置３の動作の概要＞
次に、図５から図７を参照して、通信端末２及び情報配信装置３の動作の概要について説明する。なお、ここに示す動作手順は、一例であって、動作手順の省略や動作手順の追加が行われてもよい。
図５は、通信端末２のエリア滞在情報ＡＳＩを記憶させる動作の一例を示す図である。
【００４４】
エリア情報取得部２０１は、アクセスポイント４からエリア情報を取得する（ステップＳ１００）。エリア情報取得部２０１は、アクセスポイント４から取得したエリア情報を、エリア判定部２０２に対して供給する。
エリア判定部２０２は、エリア情報取得部２０１からエリア情報を取得する。エリア判定部２０２は、所定のエリアに自装置が位置するか否かを判定する（ステップＳ１１０）。具体的には、エリア判定部２０２は、エリア情報取得部２０１から取得したエリア情報が示す位置と、予め記憶された所定のエリアとが一致するか否かを判定する。
エリア判定部２０２は、エリア情報が示す位置と、所定のエリアとが一致すると判定する場合（ステップＳ１１０；ＹＥＳ）には、記憶部２２にエリア情報が示す位置を含むエリア滞在情報ＡＳＩを記憶させる（ステップＳ１２０）。
エリア判定部２０２は、エリア情報が示す位置と、所定のエリアとが一致しないと判定する場合（ステップＳ１１０；ＮＯ）には、何もしない。
【００４５】
次に、図６を参照して、通信端末２が情報配信装置３からコンテンツ情報ＣＩを取得する動作の概要について説明する。
図６は、通信端末２が情報配信装置３からコンテンツ情報ＣＩを取得する動作の一例を示す図である。
【００４６】
情報取得部２０３は、記憶部２２にエリア滞在情報ＡＳＩが記憶されているか否かを判定する（ステップＳ２００）。
記憶部２２にエリア滞在情報ＡＳＩが記憶されていない場合（ステップＳ２００；ＮＯ）には、情報取得部２０３は、処理を終了する。
記憶部２２にエリア滞在情報ＡＳＩが記憶されている場合（ステップＳ２００；ＹＥＳ）には、情報取得部２０３は、情報配信装置３に対してコンテンツ情報ＣＩの配信を要求する。具体的には、情報取得部２０３は、情報配信部３２に対してエリア滞在情報ＡＳＩを供給する。
【００４７】
情報配信部３２は、情報取得部２０３からコンテンツ情報ＣＩの配信要求を受信する（ステップＳ３００）。具体的には、情報配信部３２は、情報取得部２０３からエリア滞在情報ＡＳＩを受信する。情報配信部３２は、情報取得部２０３から取得したエリア滞在情報ＡＳＩに基づいて、記憶部３１から、エリア滞在情報ＡＳＩに含まれる位置と対応するコンテンツ情報ＣＩを取得する。
情報配信部３２は、記憶部３１から取得したコンテンツ情報ＣＩを、情報取得部２０３に対して送信する（ステップＳ３１０）。
【００４８】
情報取得部２０３は、情報配信部３２からコンテンツ情報ＣＩを受信する（ステップＳ２２０）。
情報取得部２０３は、情報配信部３２から受信したコンテンツ情報ＣＩを、記憶部２２に記憶させる（ステップＳ２３０）。
【００４９】
次に、図７を参照して、通信端末２が情報配信装置３から取得したコンテンツ情報ＣＩを提示する動作の概要について説明する。
図７は、通信端末２が情報配信装置３からコンテンツ情報ＣＩを取得し、取得したコンテンツ情報ＣＩを提示する動作の一例を示す図である。
【００５０】
通信端末２を操作するユーザーは、提示するコンテンツ情報ＣＩを指定する操作を行う。検出部２３は、このユーザーの操作を検出する。提示部２０５は、ユーザーが指定したコンテンツ情報ＣＩの提示許可を、提示許可部２０４に対して要求する（ステップＳ２４０）。
提示許可部２０４は、提示部２０５からコンテンツ情報ＣＩの提示許可の要求を取得する。提示許可部２０４は、エリア判定部２０２に対して、コンテンツ情報ＣＩが提示可能なエリアであるか否かの判定を要求する（ステップＳ２５０）。
【００５１】
エリア判定部２０２は、コンテンツ情報ＣＩが示す提示不可エリアに、自装置が位置するか否かを判定する（ステップＳ２６０）。具体的には、エリア判定部２０２は、記憶部２２に予め記憶される複数のエリア情報の中から、エリア情報取得部２０１から取得したエリア情報と一致するものがある場合には、自装置が所定のエリアに位置すると判定する。エリア判定部２０２は、記憶部２２に予め記憶される複数のエリア情報の中から、エリア情報取得部２０１から取得したエリア情報と一致するものがない場合には、自装置が所定のエリアに位置しないと判定する。
エリア判定部２０２は、提示許可部２０４に対して、エリア判定結果情報を供給する。
【００５２】
提示許可部２０４は、エリア判定部２０２からエリア判定結果情報を取得する。提示許可部２０４は、エリア判定部２０２から取得したエリア判定結果情報に基づいて、提示を許可するか否かを判定した結果を示す提示可否情報を生成する（ステップＳ２７０）。具体的には、提示許可部２０４は、エリア判定部２０２から取得したエリア判定結果情報が、所定のエリアに位置することを示す場合には、提示を許可しないことを示す提示可否情報を生成する。提示許可部２０４は、エリア判定部２０２から取得したエリア判定結果情報が、所定のエリアに位置することを示す場合には、提示を許可することを示す提示可否情報を生成する。提示許可部２０４は、生成した提示許可情報を提示部２０５に対して供給する。
【００５３】
提示部２０５は、コンテンツ情報ＣＩの提示が許可されているか否かを判定する（ステップＳ２８０）。具体的には、提示部２０５は、提示許可部２０４から提示許可情報を取得する。
提示部２０５は、提示許可部２０４から取得した提示許可情報が、提示を許可しないことを示す場合（ステップＳ２８０；ＮＯ）には、メッセージを表示部２１に表示する（ステップＳ２９１）。メッセージとは、例えば、「会場を出てから、再生してください」などの、提示が許可されなかったことを示すメッセージである。
提示部２０５は、提示許可部２０４から取得した提示可否情報が、提示を許可することを示す場合（ステップＳ２８０；ＹＥＳ）には、コンテンツ情報ＣＩを提示する（ステップＳ２９０）。
【００５４】
＜第１の実施形態のまとめ＞
以上説明したように、通信端末２は、エリア判定部２０２と、情報取得部２０３とを備える。情報取得部２０３が、自装置が所定のエリアに位置すると判定する場合に、エリア滞在情報ＡＳＩを記憶部２２に記憶させる。情報取得部２０３は、記憶部２２にエリア滞在情報ＡＳＩが記憶される場合に、情報配信装置３からエリア滞在情報ＡＳＩが示す位置と対応するコンテンツ情報ＣＩを取得する。言い換えると、情報配信装置３は、所定のエリアに滞在した通信端末２に対して、コンテンツ情報ＣＩを供給する。これにより、情報配信装置３は、所定の場所を訪れた通信端末２にコンテンツ情報を配信することができる。
【００５５】
また、通信端末２は、提示許可部２０４と、提示部２０５とを備える。提示許可部２０４は、自装置の位置に応じて、記憶部２２に記憶されるコンテンツ情報ＣＩの提示の可否を判定する。提示許可部２０４は、コンテンツ情報ＣＩを、自装置が所定のエリア以外に位置する場合に、コンテンツ情報ＣＩの提示を許可する。提示部２０５は、提示許可部２０４の提示の可否の判定に基づいて、コンテンツ情報ＣＩを提示する。これにより、通信端末２は、コンテンツ情報ＣＩを提示するエリアを制御することができる。
【００５６】
具体的には、情報配信装置３は、スタジアムなどのイベント会場に位置した通信端末２に対して、コンテンツ情報ＣＩを供給することができる。また、コンテンツ情報ＣＩを取得した通信端末２は、このコンテンツ情報をスタジアム以外のエリアに自装置が位置する場合に再生する。つまり、コンテンツ情報ＣＩを提供する提供者は、イベント会場に来場した来場者が持参する通信端末２にコンテンツ情報ＣＩを提供し、提供したコンテンツ情報ＣＩをイベント会場以外のエリアに位置する飲食店などにおいて再生させることができる。これにより、通信端末２及び情報配信装置３は、イベント会場に来場する観客の増加や、来場による付加価値を提供することができる。また、イベント会場では、取得したコンテンツ情報ＣＩの再生が許可されないため、来場者はイベント会場で行われているイベントに集中することができる。
【００５７】
また、通信端末２が、コンテンツ情報ＣＩを取得する条件の制御を行ってもよい。情報取得部２０３は、位置時刻情報ＰＴＩが所定の条件を満たす場合に、コンテンツ情報ＣＩを取得する。所定の条件とは、例えば、現在の時刻の所定時間以内である。所定時間とは、予め定められた時間である。
本実施形態の、所定の条件は、一例として、位置時刻情報ＰＴＩが現在の時刻と一致することである。この場合には、情報取得部２０３は、所定のエリアに、自装置が位置する場合に、コンテンツ情報ＣＩを取得する。これにより、情報取得部２０３は、コンテンツ情報ＣＩを、情報配信装置３から取得するタイミングを制御することができる。
【００５８】
＜第２の実施形態＞
ここまでは、通信端末がコンテンツ情報ＣＩの取得及び提示を制御する構成について説明した。次に、図８を参照して情報配信装置がコンテンツ情報ＣＩの取得及び提示を制御する構成について説明する。なお、第１の実施形態と同一の構成及び動作については、同一の符号を付してその説明を省略する。
図８は、通信端末２ａと、情報配信装置３ａとの機能構成の一例を示す図である。
【００５９】
＜通信端末２ａの機能構成＞
通信端末２ａは、上述した記憶部２２と、表示部２１と、検出部２３とに加え、制御部２０ａを備える。制御部２０ａは、例えば、ＣＰＵを備えており、種々の演算や情報の授受を行う。制御部２０ａは、エリア情報取得部２０１と、通信部２０６と、情報取得部２０３ａと、提示許可情報取得部２０７と、提示部２０５とを、その機能部として備える。  通信部２０６は、情報配信装置３ａと通信する。
【００６０】
エリア情報取得部２０１は、上述したように、アクセスポイント４から基地局識別情報を取得する。エリア情報取得部２０１は、アクセスポイント４から取得した基地局識別情報をエリア情報として、エリア情報取得部３０１に対して、通信部２０６介して供給する。
【００６１】
情報取得部２０３ａは、情報配信部３２ａから、通信部２０６を介して通信することにより、コンテンツ情報ＣＩを取得する。
提示許可情報取得部２０７は、提示許可部３０４から、通信部２０６を介して通信することにより、提示可否情報を取得する。提示許可情報取得部２０７は、提示許可部３０４から取得した提示可否情報を、提示部２０５に対して供給する。
【００６２】
提示部２０５は、提示許可情報取得部２０７から提示可否情報を取得する。提示部２０５は、提示許可情報取得部２０７から取得した提示可否情報が提示を許可することを示す場合には、コンテンツ情報ＣＩを、表示部２１に表示させる。
【００６３】
＜情報配信装置３ａの機能構成＞
情報配信装置３ａは、制御部３０ａと、記憶部３１ａとを備える。制御部３０ａは、例えば、ＣＰＵを備えており、種々の演算や情報の授受を行う。制御部３０ａは、エリア情報取得部３０１と、エリア判定部３０２と、情報配信部３２ａと、提示許可部３０４とを、その機能部として備える。
【００６４】
エリア情報取得部３０１は、通信部２０６を介して、エリア情報取得部２０１からエリア情報を取得する。エリア情報取得部３０１は、エリア情報取得部２０１から取得したエリア情報を、エリア判定部３０２に対して供給する。
エリア判定部３０２は、エリア情報取得部３０１からエリア情報を取得する。エリア判定部３０２は、エリア情報取得部３０１から取得したエリア情報に基づいて、通信端末２ａが所定のエリアに位置するか否かを判定する。エリア判定部３０２の判定の方法は、上述したエリア判定部２０２の判定の方法と同様である。
【００６５】
エリア判定部３０２は、情報配信装置３ａが所定のエリアに位置すると判定する場合には、記憶部３１ａに、エリア滞在情報ＡＳＩを記憶させる。
エリア判定部３０２は、エリア判定結果情報を提示許可部３０４に対して供給する。
【００６６】
情報配信部３２ａは、記憶部３１ａにエリア滞在情報ＡＳＩが記憶される場合に、記憶部３１ａに記憶されたコンテンツ情報ＣＩを、情報取得部２０３ａに対して配信する。
【００６７】
提示許可部３０４は、エリア判定部３０２からエリア判定結果情報を取得する。
提示許可部３０４は、所定のエリアに通信端末２ａが位置しないとエリア判定部３０２が判定する場合に、通信端末２ａに対して情報配信部３２ａが配信したコンテンツ情報ＣＩの提示を許可する。具体的には、提示許可部３０４は、上述した提示許可部２０４と同様に、提示可否情報を生成する。提示許可部３０４は、生成した提示可否情報を、提示許可情報取得部２０７に対して供給する。
【００６８】
記憶部３１ａには、上述したエリア滞在情報ＡＳＩと、コンテンツ情報ＣＩとが記憶される。
【００６９】
＜第２の実施形態の通信端末２ａと、情報配信装置３ａとの動作の概要＞
次に、図９から図１０を参照して、通信端末２ａ及び情報配信装置３ａの動作の概要について説明する。なお、ここに示す動作手順は、一例であって、動作手順の省略や動作手順の追加が行われてもよい。
図９は、通信端末２ａのエリア滞在情報ＡＳＩを記憶させる動作の一例を示す図である。
【００７０】
エリア情報取得部２０１は、アクセスポイント４からエリア情報を取得する。エリア情報取得部２０１は、アクセスポイント４から取得したエリア情報を、通信部２０６を介して、エリア情報取得部３０１に対して送信する（ステップＳ４００）。
【００７１】
情報配信装置３ａが備えるエリア情報取得部３０１は、通信部２０６を介してエリア情報取得部２０１からエリア情報を取得する。エリア情報取得部３０１は、エリア情報取得部２０１から取得したエリア情報を、エリア判定部３０２に対して供給する。エリア判定部３０２は、所定のエリアに通信端末２ａが位置するか否かを判定する（ステップＳ５１０）。
【００７２】
エリア判定部３０２は、エリア情報が示す通信端末２ａが現在位置するエリアと所定のエリアとが一致すると判定する場合（ステップＳ５１０；ＹＥＳ）には、記憶部３１ａに通信端末２ａを識別する情報と、エリア滞在情報ＡＳＩとを対応付けた状態で記憶させる（ステップＳ５２０）。
エリア判定部３０２は、エリア情報が示す位置と、所定のエリアとが一致しないと判定する場合（ステップＳ５１０；ＮＯ）には、何もしない。
【００７３】
次に、図１０を参照して、通信端末２ａが情報配信装置３ａからコンテンツ情報ＣＩを取得し、取得したコンテンツ情報ＣＩを提示する動作の概要について説明する。
図１０は、通信端末２ａが情報配信装置３ａからコンテンツ情報ＣＩを取得し、取得したコンテンツ情報ＣＩを提示する動作の一例を示す図である。
【００７４】
通信端末２ａは、通信部２０６を介して情報配信装置３ａに対してコンテンツ情報ＣＩの配信を要求する（ステップＳ６００）。なお、通信端末２ａは、情報配信装置３ａに対して、このコンテンツ情報ＣＩの配信の要求と共に、自装置が位置するエリア情報を送信してもよい。この場合には、エリア判定部３０２は、通信端末２ａが、要求されたコンテンツ情報ＣＩの配信が許可されるエリアに位置するか否かを判定してもよい。
【００７５】
情報配信装置３ａは、通信端末２ａからコンテンツ情報ＣＩの配信要求を受ける（ステップＳ７００）。
情報配信部３２ａは、記憶部３１ａにエリア滞在情報ＡＳＩが記憶されているか否かを判定する（ステップＳ７１０）。
【００７６】
記憶部３１ａにエリア滞在情報ＡＳＩが記憶されていない場合（ステップＳ７１０；ＮＯ）には、情報配信部３２ａは、処理を終了する。
記憶部３１ａにエリア滞在情報ＡＳＩが記憶されている場合（ステップＳ７１０；ＹＥＳ）には、情報配信部３２ａは、情報取得部２０３ａに対してコンテンツ情報ＣＩを配信する（ステップＳ７２０）。
【００７７】
情報取得部２０３ａは、情報配信部３２ａから、通信部２０６を介して、コンテンツ情報ＣＩを受信する（ステップＳ６１０）。情報取得部２０３ａは、情報配信部３２ａから受信したコンテンツ情報ＣＩを、記憶部２２に記憶させる（ステップＳ６２０）。
【００７８】
通信端末２ａを操作するユーザーは、提示したいコンテンツ情報ＣＩを選択する操作を行う。検出部２３は、このユーザーの操作を検出する。通信端末２ａは、ユーザーによって選択されたコンテンツ情報ＣＩの提示許可を、情報配信装置３ａに対して要求する。具体的には、通信端末２ａは、エリア情報取得部３０１に対して、通信部２０６を介して、ユーザーによって選択されたコンテンツ情報ＣＩを識別する情報と、自装置が現在位置するエリア情報とを送信する。提示許可情報取得部２０７は、提示許可部３０４に対して、通信部２０６を介して、提示可否情報を要求する（ステップＳ６３０）。
エリア情報取得部３０１は、エリア情報取得部２０１から、通信部２０６を介してエリア情報を取得する。提示許可部３０４は、提示許可情報取得部２０７からコンテンツ情報ＣＩの提示許可の要求と、通信端末２ａの現在位置を示すエリア情報とを取得する（ステップＳ７３０）。
提示許可部３０４は、エリア判定部３０２に対して、コンテンツ情報ＣＩが提示可能なエリアであるか否かの判定を要求する。エリア判定部３０２は、コンテンツ情報ＣＩが示す提示不可エリアに、通信端末２ａが位置するか否かを判定する（ステップＳ７４０）。エリア判定部３０２は、提示許可部３０４に対して、エリア判定結果情報を供給する。
【００７９】
提示許可部３０４は、エリア判定部３０２からエリア判定結果情報を取得する。提示許可部３０４は、エリア判定部３０２から取得したエリア判定結果情報に基づいて、提示を許可するか否かを判定した結果を示す提示可否情報を生成する。具体的には、提示許可部３０４は、エリア判定部３０２から取得したエリア判定結果情報が、所定のエリアに位置することを示す場合には、提示を許可しないことを示す提示可否情報を生成する。提示許可部３０４は、エリア判定部３０２から取得したエリア判定結果情報が、所定のエリアに位置することを示す場合には、提示を許可することを示す提示可否情報を生成する。
提示許可部３０４は、生成した提示許可情報を提示許可情報取得部２０７に対して供給する（ステップＳ７５０）。
【００８０】
提示許可情報取得部２０７は、提示許可部３０４から提示可否情報を取得する。提示許可情報取得部２０７は、提示許可部３０４から取得した提示可否情報を、提示部２０５に対して供給する。提示部２０５は、提示許可情報取得部２０７から提示可否情報を取得する。提示部２０５は、提示許可情報取得部２０７から取得した提示可否情報が、提示を許可することを示す場合には、コンテンツ情報ＣＩを提示する（ステップＳ６５０）。
【００８１】
＜第２の実施形態のまとめ＞
以上説明したように、通信端末２ａは、情報配信装置３ａに対してエリア情報を送信することにより、コンテンツ情報ＣＩの配信を要求する。また、通信端末２ａは、情報配信装置３ａに対してエリア情報を送信することにより、コンテンツ情報ＣＩの提示の可否を要求する。コンテンツ情報ＣＩの配信及び提示の制御を、情報配信装置３ａが行うことができる。これにより、通信端末２ａの処理の負荷を軽減することができる。
【００８２】
上述した、第２の実施形態では、エリア滞在情報ＡＳＩを情報配信装置３ａ側で生成したが、これに限られない。エリア滞在情報ＡＳＩは、通信端末２ａによって生成されてもよい。この場合には、通信端末２ａは、情報配信装置３ａに対してコンテンツ情報ＣＩを要求する時に、エリア滞在情報ＡＳＩを配信装置に送信し、情報配信装置３ａ側で、エリア滞在情報ＡＳＩを検証することにより、エリア滞在情報ＡＳＩと対応するコンテンツ情報ＣＩを配信する。また、この場合には、提示許可情報取得部２０７は、提示許可部３０４に対して、このコンテンツ情報ＣＩの提示許可を要求する際に、自装置の現在位置を示すエリア情報を送信する。
【００８３】
なお、上述した第１の実施形態及び第２の実施形態の説明では、エリア情報取得部２０１が取得するエリア情報が、基地局識別情報の場合について説明したがこれに限られない。通信端末２は、接続されたＬＴＥ基地局から出力される基地局の位置を示す情報又は基地局を識別する情報を、エリア情報としてもよい。また、エリア情報は、通信端末２が測定する自装置の位置の情報であってもよい。具体的には、通信端末２は、Ａ−ＧＰＳ（Ａｓｓｉｓｔｅｄ−Ｇｌｏｂａｌ  Ｐｏｓｉｔｉｏｎｉｎｇ  Ｓｙｓｔｅｍ）によって自装置の位置を測定してエリア情報を生成してもよい。なお、通信端末２は、Ａ−ＧＰＳによって通信端末２の位置を測定する構成に代えて、ＧＰＳ（Ｇｌｏｂａｌ  Ｐｏｓｉｔｉｏｎｉｎｇ  Ｓｙｓｔｅｍ）又は、準天頂衛星（ｑｕａｓｉ−ｚｅｎｉｔｈ  ｓａｔｅｌｌｉｔｅｓ：  ＱＺＳ）等の全地球航法衛星システム（Ｇｌｏｂａｌ  Ｎａｖｉｇａｔｉｏｎ  Ｓａｔｅｌｌｉｔｅ  Ｓｙｓｔｅｍ（ｓ）：ＧＮＳＳ）よって自装置の位置を測定してもよい。通信端末２は、上述した位置測定方法に限られず、自装置が検出する無線電波から取得する情報に基づいて、自装置の位置を測定してもよい。
【００８４】
なお、上述した第１の実施形態及び第２の実施形態の説明では、エリア情報取得部２０１が取得した基地局識別情報に基づいてエリア滞在情報ＡＳＩを生成する構成について説明したがこれに限られない。以下の説明では、通信端末２と、通信端末２ａとを区別しない場合には、単に通信端末と記載する。また、以下の説明では、情報配信装置３と、情報配信装置３ａとを区別しない場合には、単に情報配信装置と記載する。
【００８５】
例えば、通信端末は、自装置記憶される電子チケットによって、イベント会場などの所定のエリアに入場する。通信端末は、所定のアクセスポイント４が出力する電波を、受信する。通信端末はこの電波を受信したときに、情報配信装置に対して電子チケットを識別する電子チケット識別情報を送信する。電子チケット識別情報を受信した情報配信装置は、コンテンツ情報ＣＩを、通信端末に対して供給してもよい。また、情報配信装置は、このコンテンツ情報ＣＩを取得するＵＲＬ（Ｕｎｉｆｏｒｍ  Ｒｅｓｏｕｒｃｅ  Ｌｏｃａｔｏｒ）を通信端末に対して供給してもよい。この場合には、通信端末は、情報配信装置から供給されるＵＲＬにアクセスして、コンテンツ情報ＣＩを取得する。
【００８６】
また、電子チケット識別情報に、座席位置などが含まれる場合には、この座席位置によって供給されるコンテンツ情報ＣＩに含まれる提示情報の種類や、提示可能期間や、提示可能回数を変えてもよい。この場合には、コンテンツ情報ＣＩに、提示可能期間を示す情報や、提示可能回数を示す情報が含まれていればよい。提示許可部２０４又は提示許可部３０４は、この提示可能期間を示す情報や、提示可能回数を示す情報に基づいて、コンテンツ情報ＣＩに含まれる提示情報の提示の可否を判定する。
【００８７】
通信端末は、エリア情報取得部２０１がアクセスポイント４から取得するエリア情報に変えて、あるいは加えて、電子チケット番号を情報配信装置に送信してもよい。この場合には、情報配信装置は、電子チケットにより入場した通信端末を識別する端末ＩＤを電子チケットシステムから受信する。情報配信装置は、通信端末から、この端末ＩＤと共に、コンテンツ情報ＣＩの取得要求を受けた場合には、コンテンツ情報ＣＩを配信してもよい。
【００８８】
なお、上述した説明では、記憶部２２、記憶部３１又は、記憶部３１ａに、エリア滞在情報ＡＳＩと、位置時刻情報ＰＴＩとが対応付けられた状態で記憶される場合について説明したが、エリア滞在情報ＡＳＩと、位置時刻情報ＰＴＩとが対応付けられた状態で記憶されることは必須ではない。
【００８９】
位置時刻情報ＰＴＩと、エリア滞在情報ＡＳＩとが対応付けられた状態で記憶される場合には、情報配信装置は、所定のエリアに滞在した時刻に更に基づいてコンテンツ情報ＣＩを配信する。この場合には、情報配信部３２及び情報配信部３２ａには、コンテンツ情報ＣＩと、配信可能エリア情報と、配信可能位置時刻情報とが対応付けられた状態で記憶される。配信可能位置時刻情報は、時刻の情報である。時刻の情報とは、日付、時刻、時間を示す情報である。情報配信装置は、エリア滞在情報ＡＳＩの他に、配信可能位置時刻情報が示す時刻が、通信端末から取得する位置時刻情報が示す時刻に含まれる場合に、コンテンツ情報ＣＩを、通信端末に対して配信する。これにより、情報配信装置は、通信端末が取得するコンテンツ情報ＣＩを、より細かく分類して配信することができる。
【００９０】
また、提示許可部２０４又は提示許可部３０４は、現在の時刻に応じて複数の互いに異なるコンテンツ情報ＣＩの提示を許可してもよい。この場合には、記憶部２２、記憶部３１又は、記憶部３１ａには、複数のコンテンツ情報ＣＩが記憶されていればよい。提示許可部２０４又は提示許可部３０４は、コンテンツ情報毎に設定される提示許可時刻情報と、現在の時刻とに基づいて、コンテンツ情報ＣＩ毎に提示の可否を判定する。
【００９１】
また、提示許可部２０４又は提示許可部３０４は、時刻の経過に伴いより多くのコンテンツ情報ＣＩの提示を許可してもよい。この複数のコンテンツ情報ＣＩは、予め記憶部３１又は記憶部３１ａに記憶されたものであってもよく、時刻の経過に伴い追加されるコンテンツ情報ＣＩであってもよい。具体的には、複数のコンテンツ情報ＣＩは、所定のエリアにおいて開催されるイベントの進行に応じて追加されるコンテンツ情報ＣＩであってもよい。また、複数のコンテンツ情報ＣＩは、所定のエリアにおいて開催されるイベントのコンテンツ情報であって、予め定められたイベントの進行に応じて提示が許可されるコンテンツ情報であってもよい。
【００９２】
具体的には、コンテンツ情報ＣＩは、所定のエリアで開催されるイベントに関する情報であって、提示許可部２０４は、さらにイベントの時間割に基づいてコンテンツ情報ＣＩの提示を許可する。イベントの時間割の一例を、図１１に示す。
図１１は、イベントの時間割を示す時間割情報ＴＣの一例を示す図である。
【００９３】
時間割情報ＴＣには、提示情報と、時間割の時刻の情報とが対応付けられた状態で記憶される。この一例では、“イベント序盤の提示情報”と、“１２：００〜”とが対応付けられた状態で記憶される。また、“イベント中盤の提示情報”と、“１３：３０〜”とが対応付けられた状態で記憶される。“イベント終盤の提示情報”と、“１５：００〜”とが対応付けられた状態で記憶される。提示許可部２０４は、予め時間割情報ＴＣと、時間割情報ＴＣと対応する提示情報を、情報配信装置３から取得することにより、イベントの進行に応じてコンテンツ情報ＣＩの提示を制御することができる。これにより、コンテンツ情報ＣＩを提供する提供者は、イベントの進行に応じた内容のコンテンツ情報ＣＩを通信端末２に対して提供することができる。
【００９４】
また、上述した説明では、提示許可部２０４又は提示許可部３０４は、通信端末２が所定のエリア以外のエリアに位置する場合に、コンテンツ情報ＣＩの提示を許可する構成について説明したがこれに限られない。提示許可部２０４又は提示許可部３０４は、通信端末が所定のエリア内に位置する場合に、コンテンツ情報ＣＩの提示を許可してもよい。この場合には、コンテンツ情報ＣＩに、提示が可能な位置を示す提示可能エリア情報が含まれていればよい。提示許可部２０４又は提示許可部３０４は、この提示可能エリア情報が示す位置に基づいて、コンテンツ情報ＣＩの提示を許可する。これにより、情報配信装置は、所定のエリア内に位置する通信端末のみが提示可能なコンテンツ情報ＣＩを配信することができる。
【００９５】
なお、上述した説明では、コンテンツ情報ＣＩに提示許可時刻情報が含まれる場合について説明したが、必須ではない。コンテンツ情報ＣＩに、提示許可時刻情報が含まれる場合には、通信端末は、コンテンツ情報ＣＩの再生時刻を制御することができる。これにより、コンテンツ情報ＣＩを提供する提供者は、意図した期間に提示情報の再生を許可することができる。
【００９６】
なお、上述した第１の実施形態及び第２の実施形態の情報配信装置は、コンテンツ情報ＣＩに含まれる提示情報が動画データである場合には、この動画データをストリーミングによって配信してもよい。この場合、通信端末は、情報配信装置から配信される提示情報を記憶部に記憶させなくてもよい。情報配信装置は、ストリーミング配信することにより、通信端末の記憶部に収めることができない大きさの動画データを、配信することができる。
【００９７】
なお、上記の各実施形態における通信端末２、通信端末２ａ、情報配信装置３及び情報配信装置３ａが備える各部は、専用のハードウェアにより実現されるものであってもよく、また、メモリおよびマイクロプロセッサにより実現させるものであってもよい。
【００９８】
なお、通信端末２、通信端末２ａ、情報配信装置３及び情報配信装置３ａが備える各部は、メモリおよびＣＰＵ（中央演算装置）により構成され、情報配信装置３、情報配信装置３ａが備える各部の機能を実現するためのプログラムをメモリにロードして実行することによりその機能を実現させるものであってもよい。
【００９９】
また、通信端末２、通信端末２ａ、情報配信装置３及び情報配信装置３ａが備える各部の機能を実現するためのプログラムをコンピュータ読み取り可能な記録媒体に記録して、この記録媒体に記録されたプログラムをコンピュータシステムに読み込ませ、実行することにより処理を行ってもよい。なお、ここでいう「コンピュータシステム」とは、ＯＳや周辺機器等のハードウェアを含むものとする。
【０１００】
また、「コンピュータシステム」は、ＷＷＷシステムを利用している場合であれば、ホームページ提供環境（あるいは表示環境）も含むものとする。
また、「コンピュータ読み取り可能な記録媒体」とは、フレキシブルディスク、光磁気ディスク、ＲＯＭ、ＣＤ−ＲＯＭ等の可搬媒体、コンピュータシステムに内蔵されるハードディスク等の記憶装置のことをいう。さらに「コンピュータ読み取り可能な記録媒体」とは、インターネット等のネットワークや電話回線等の通信回線を介してプログラムを送信する場合の通信線のように、短時間の間、動的にプログラムを保持するもの、その場合のサーバやクライアントとなるコンピュータシステム内部の揮発性メモリのように、一定時間プログラムを保持しているものも含むものとする。また上記プログラムは、前述した機能の一部を実現するためのものであってもよく、さらに前述した機能をコンピュータシステムにすでに記録されているプログラムとの組み合わせで実現できるものであってもよい。
【０１０１】
以上、本発明の実施形態を、図面を参照して詳述してきたが、具体的な構成はこの実施形態に限られるものではなく、本発明の趣旨を逸脱しない範囲で適宜変更を加えることができる。上述した各実施形態に記載の構成を組み合わせてもよい。
【符号の説明】
【０１０２】
１００…通信システム、２，２ａ…通信端末、３，３ａ…情報配信装置、４…アクセスポイント、２０，２０ａ，３０，３０ａ…制御部、２１…表示部、２２，３１，３１ａ…記憶部、３２，３２ａ…情報配信部、２０１，３０１…エリア情報取得部、２０２，３０２…エリア判定部、２０３，２０３ａ…情報取得部、２０４，３０４…提示許可部、２０５…提示部、２０６…通信部、２０７…提示許可情報取得部、ＣＩ…コンテンツ情報、ＡＳＩ，ＡＳＩ１，ＡＳＩ２…エリア滞在情報、ＰＴＩ，ＰＴＩ１，ＰＴＩ２…位置時刻情報、ＴＣ…時間割情報、ＰＬ１，ＰＬ２…位置
【図１】
2020091891.tif 000003
【図２】
2020091891.tif 000004
【図３】
2020091891.tif 000005
【図４】
2020091891.tif 000006
【図５】
2020091891.tif 000007
【図６】
2020091891.tif 000008
【図７】
2020091891.tif 000009
【図８】
2020091891.tif 000010
【図９】
2020091891.tif 000011
【図１０】
2020091891.tif 000012
【図１１】
2020091891.tif 000013